(57)【要約】【課題】被写体を撮影するための撮像部及び自己撮影用のミラーを備えた携帯端末装置において、電気・電子部品の誤作動や故障を防止して、信頼性の高い携帯端末装置を提供できるようにする。【解決手段】筐体と、該筐体内部に設けられ、前記筐体の表面１９から外方に露出させた撮像部１１と、該撮像部１１に電気的に接続された回路基板２５と、前記筐体の表面１９に、前記撮像部１１に隣接させて配された導電性材料からなるミラー２１とを備え、該ミラー２１が、前記回路基板２５のグランドパターンに電気的に接続されていることを特徴とする携帯端末装置を提供する。【選択図】      図４
2005026881.tif 000002
【特許請求の範囲】
【請求項１】
筐体と、該筐体内部に設けられ、前記筐体の表面から外方に露出させた撮像部と、該撮像部に電気的に接続された回路基板と、前記筐体表面に、前記撮像部に隣接させて配された導電性材料からなるミラーとを備え、
該ミラーが、前記回路基板のグランドパターンに電気的に接続されていることを特徴とする携帯端末装置。
【請求項２】
前記ミラーに隣接させてフラッシュ部が配されていることを特徴とする請求項１に記載の携帯端末装置。
【請求項３】
前記ミラーと前記グランドパターンとの電気的な接点が２つ以上設けられていることを特徴とする請求項１又は請求項２に記載の携帯端末装置。
【請求項４】
前記筐体表面に、前記撮像部の撮影窓周囲を囲むように設けられた導電性材料からなるカバー部材を有し、該カバー部材に前記ミラーが一体的に形成され、当該ミラーが前記カバー部材を介して前記回路基板のグランドパターンと電気的に接続されていることを特徴とする請求項１に記載の携帯端末装置。
【請求項５】
前記筐体表面に、前記撮像部の撮影窓周囲及び前記フラッシュ部の閃光窓周囲をそれぞれ囲むように一体的に設けられた導電性材料からなるカバー部材を有し、該カバー部材に前記ミラーが一体的に形成され、当該ミラーが前記カバー部材を介して前記回路基板のグランドパターンと電気的に接続されていることを特徴とする請求項２に記載の携帯端末装置。
【発明の詳細な説明】
【０００１】
【発明の属する技術分野】
この発明は、被写体を撮影するための撮像部及び自己撮影用のミラーを備えた携帯電話機、ＰＤＡ（Ｐｅｒｓｏｎａｌ  Ｄｉｇｉｔａｌ  Ａｓｓｉｓｔａｎｔｓ）等の携帯端末装置に関する。
【０００２】
【従来の技術】
従来の携帯端末装置としては、筐体内部に、筐体表面から外方に露出させた撮像部を備え、撮像部に隣接する筐体表面にミラーが設けられているものがある（例えば、非特許文献１参照。）。このミラーは、撮影者が自らを撮影する際に、撮像部における撮影範囲、構図等の撮影状態を視認するためのものであり、筐体表面に粘着テープ等により接着されている。このミラーは、金属材料、若しくは、樹脂部材の表面にめっきを施して金属皮膜を形成したものからなり、導電性を有している。
なお、上述の撮像部は、ＣＣＤ（Ｃｈａｒｇｅ−Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサー等の撮像素子を備えた所謂電子カメラである。
【０００３】
【非特許文献１】
［平成１５年６月２７日検索］、インターネット＜ＵＲＬ：ｈｔｔｐ：／／ｗｗｗ．ｋｙｏｃｅｒａ．ｃｏ．ｊｐ／ｆｒａｍｅ／ｐｒｏｄｕｃｔ／ｔｅｌｅｃｏｍ／ｋｅｉｔａｉ／ｔｕｋａ／ｔｋ３１／ｃａｍｅｒａ．ｈｔｍｌ＞
【０００４】
【発明が解決しようとする課題】
ところが、上記の携帯端末装置においては、外部（人体や他の電子機器等）より静電気が導かれると、撮像部を含む携帯端末装置内の電子部品の信号ラインにノイズが発生し、このノイズにより誤作動を発生させたり、撮像部等の部品を破壊するという虞があった。
この発明は、上述した事情に鑑みてなされたものであって、電気・電子部品の誤作動や故障を防止して、信頼性の高い携帯端末装置を提供することを目的としている。
【０００５】
【課題を解決するための手段】
上記課題を解決するために、この発明は以下の手段を提案している。
請求項１に係る発明は、筐体と、該筐体内部に設けられ、前記筐体の表面から外方に露出させた撮像部と、該撮像部に電気的に接続された回路基板と、前記筐体表面に、前記撮像部に隣接させて配された導電性材料からなるミラーとを備え、該ミラーを前記回路基板のグランドパターンに電気的に接続して携帯端末装置を構成したことを特徴とする。
【０００６】
請求項２に係る発明は、請求項１に記載の携帯端末装置において、前記ミラーに隣接させてフラッシュ部が配されていることを特徴とする。
【０００７】
請求項３に係る発明は、請求項１又は請求項２に記載の携帯端末装置において、前記ミラーと前記グランドパターンとの電気的な接点が２つ以上設けられていることを特徴とする。
【０００８】
請求項４に係る発明は、請求項１に記載の携帯端末装置において、前記筐体表面に、前記撮像部の撮影窓周囲を囲むように設けられた導電性材料からなるカバー部材を有し、該カバー部材に前記ミラーを一体的に備えると共に、当該ミラーが前記カバー部材を介して前記回路基板のグランドパターンと電気的に接続されるように構成したことを特徴とする。
【０００９】
請求項５に係る発明は、請求項２に記載の携帯端末装置において、前記筐体表面に、前記撮像部の撮影窓周囲及び前記フラッシュ部の閃光窓周囲をそれぞれ囲むように一体的に設けられた導電性材料からなるカバー部材を有し、該カバー部材に前記ミラーを一体的に備えると共に、当該ミラーが前記カバー部材を介して前記回路基板のグランドパターンと電気的に接続されるように構成したことを特徴とする。
【００１０】
【発明の実施の形態】
図１から図４はこの発明に係る一実施形態を示す。ここで説明する実施の形態は、この発明を携帯電話機に適用した場合のものである。図１，２に示すように、この実施の形態に係る携帯電話機（携帯端末装置）１は、第１の筐体２と第２の筐体３とをヒンジ部４により互いに折り畳み自在に連結してなるものである。第１の筐体２の内部には通話キー、終話キー等の各種の操作キー５及びマイクロフォン部６が設けられており、これらは、第１の筐体２の厚さ方向の一端面７側に露出している。
【００１１】
第２の筐体３の内部には、表示部８、スピーカー部９、撮像部１１、フラッシュ部１３及び発光部１５が設けられており、表示部８の表示面８ａ及びスピーカー部９は、第２の筐体３の厚さ方向の一端面１７側に露出している。
スピーカー部９は、マイクロフォン部６と共に、第１、第２の筐体２，３を相互に開いた状態にてアンテナ１８を介して、無線通話を行うものである。なお、各筐体２，３の一端面７，１７は、２つの筐体２，３を相互に折り畳んだ状態において互いに対向し、操作キー５、マイクロフォン部６，表示部８及びスピーカー部９が、互いの筐体２，３により覆い隠されるようになっている。
【００１２】
撮像部１１、フラッシュ部１３及び発光部１５は、一端面１７の反対側に位置する第２の筐体３の他端面１９側に露出しており、この他端面１９には、撮像部１１やフラッシュ部１３に隣接してミラー２１が配されている。なお、このミラー２１は、撮像部１１により撮影者自身を被写体として撮影する際に、撮影者がその撮影範囲や構図等の撮影状態を視認するためのものである。
撮像部１１は、被写体からの光を受光して、光の明暗に比例した電気信号を出力することにより被写体の撮影を行う所謂ＣＭＯＳである撮像素子を備えている。この撮像素子は、図３に示すように、第２の筐体３の内部に設けられた薄板状の回路基板２５にフレキシブルプリント配線板２７を介して電気的に接続されている。この撮像部１１において撮影された映像は、前述した表示部８において視認することができる。
【００１３】
フラッシュ部１３は、回路基板２５に固定されたフラッシュ素子２９を備えており、フラッシュ素子２９から発せられる閃光により撮影に必要な光量を得るものである。すなわち、フラッシュ部１３は、撮像部１１において被写体の映像を取得するタイミングに同期して、フラッシュ素子２９が被写体に向けて閃光を発することにより、暗い場所においても撮像部１１による撮影を可能とするものである。
【００１４】
発光部１５は、回路基板２５に固定された発光ダイオード３１を備えており、携帯電話機１の使用者に、各種の情報を発光ダイオード３１の点灯・点滅により報知するものである。すなわち、例えば、撮像部１１により撮影を行う際には、被写体に対して撮影のタイミングを発光ダイオード３１の点灯・点滅により知らせることができるようになっている。
【００１５】
第２の筐体３は、撮像部１１、フラッシュ部１３及び発光部１５を外方に露出させるように構成されている。すなわち、第２の筐体３は、前述の他端面１９側を構成する浅底状のリアケース３３を備えている。そして、リアケース３３は、厚さ方向に貫通し、撮像部１１、フラッシュ部１３及び発光部１５をそれぞれ外方に露出させる３つの貫通孔３５ａ〜３５ｃを有するリアケース本体３５と、厚さ方向に貫通して、３つの貫通孔３５ａ〜３５ｃを外方に露出させるための開口部３７ａを有する薄板状のリアプレート３７とを備えている。
リアケース本体３５及びリアプレート３７は、これらの厚さ方向に重ね合わせて結合するように構成されている。つまり、リアケース本体３５には、リアケース３３の他端面１９に向けて開口する凹部３６が形成されており、リアプレート３７は、この凹部３６に嵌め込まれ、接着等により一体的に固定されている。
なお、リアプレート３７は、リアケース本体３５の凹部３６の底面３６ａに当接する面と反対側に位置する面が、第２の筐体３の他端面１９となるように構成されている。
【００１６】
また、リアプレート３７の開口部３７ａ内には、この開口部３７ａの形状に略一致する外周形状を有するカバー部材４１が設けられている。このカバー部材４１は、リアケース本体３５とリアプレート３７とを相互に結合した状態において、これらリアケース本体３５とリアプレート３７との間にカバー部材４１の鍔部が挟み込まれることにより固定されるようになっている。
このカバー部材４１は、樹脂部材の表面にめっきを施して金属皮膜を形成したものであり、導電性を有している。このカバー部材４１には、前述したミラー２１が一体的に形成されている。このミラー２１は、携帯電話機の使用者が自らを被写体として撮像部１１により撮影する際に、撮影範囲や構図等の撮影状態を視認できるように構成されている。
また、このカバー部材４１には、厚さ方向に貫通する３つの貫通孔４１ａ〜４１ｃが形成されており、各貫通孔４１ａ〜４１ｃは、それぞれリアケース本体３５に形成された貫通孔３５ａ〜３５ｃと共に撮像部１１、フラッシュ素子２９及び発光素子３１を外方に露出させるように構成されている。
【００１７】
リアケース本体３５とカバー部材４１との間には、カバー部材４１の各貫通孔４１ａ〜４１ｃを隙間無く閉塞する窓部材４３〜４５がそれぞれ設けられている。これら窓部材４３〜４５は、それぞれ撮像部１１の撮影窓、フラッシュ素子２９の閃光窓及び発光素子３１の発光窓を形成するものであり、光を透過させるガラスやアクリル等の透過性材料から形成されている。なお、貫通孔４１ａ，４１ｂを塞ぐ窓部材４４，４５は、一体的に形成されている。
また、これら窓部材４３〜４５は、それぞれリアケース本体３５の各貫通孔３５ａ〜３５ｃを塞ぐように、リアケース本体３５の底面３６ａに載置されるようになっている。したがって、これら窓部材４３〜４５は、塵埃が第２の筐体３の内部に侵入することを防いで、撮像部１１、フラッシュ素子２９及び発光素子３１を保護している。
【００１８】
回路基板２５には、不図示のグランドパターンが形成されており、このグランドパターンに電気的に接続するように、フラッシュ素子２９や発光素子３１に隣接して弾性変形可能な２つの接続端子４７，４８が固定されている。これら接続端子４７，４８は、それぞれリアケース本体３５に形成された挿通孔３５ｄ，３５ｅを介してカバー部材４１に当接させるように構成されている。
すなわち、カバー部材４１には、リアケース本体３５側に向けて突出する２つの突起が形成されている。これら突起は、カバー部材４１をリアケース本体３５の底面３６ａに載置した状態において、リアケース本体３５の挿通孔３５ｄに挿入され、接続端子４７，４８に当接するようになっている。なお、これら接続端子４７，４８は、弾性変形可能となっているため、カバー部材４１の各突起により押圧された状態において、その弾性力により各突起と接触した状態に保持することができる。
【００１９】
カバー部材４１を挟み込んでリアケース本体３５及びリアプレート３７を相互に結合し、且つ回路基板２５をリアケース本体３５に近接させて配した状態においては、図４に示すように、前述したカバー部材４１の突起４９がリアケース本体３５の貫通孔３５ｄに挿入され、その先端部が接続端子４７に当接する。なお、図示していないが、カバー部材４１のもう一方の突起４９はリアケース本体３５の貫通孔３５ｅに挿入され、その先端部が接続端子４８に当接する。
また、この状態においては、撮像部１１は、リアケース本体３５の貫通孔３５ａ及びカバー部材４１の貫通孔４１ａを介して他端面１９から第２の筐体３の外方に露出している。さらに、フラッシュ素子２９や発光素子３１も、撮像部１１と同様にして、リアケース本体３５の貫通孔３５ｂ，３５ｃ及びカバー部材４１の貫通孔４１ｂ，４１ｃを介して第２の筐体３の外方に露出している。そして、この状態においては、撮像部１１、フラッシュ素子２９及び発光素子３１が、カバー部材４１に近接して配されることになる。
【００２０】
上記のように、この携帯電話機１によれば、導電性材料からなるカバー部材４１を回路基板２５のグランドパターンに電気的に接続することにより、外部より静電気が導かれても、この静電気を回路基板２５のグランドパターンに逃がすことができる。このため、撮像部１１を含む電子部品の信号ラインにノイズが発生することを防止でき、ノイズによって、表示部８、スピーカー部９等の電気部品や回路基板２５に搭載される各種電子部品の誤作動や故障を防止でき、信頼性の高い携帯電話機１を提供することができる。
また、カバー部材４１と回路基板２５のグランドパターンとの電気的な接点を２つ設けることにより、カバー部材４１が、携帯電話機１に搭載される各種電気部品、電子部品の動作周波数に基づいて発生する電磁波を受信・発信することを防止できる。即ち、カバー部材４１がアンテナのような特性を持つことを防ぎ、この電磁波に基づく各種電気部品、電子部品の誤作動や故障を防止できる。特に、アンテナ１８に受信されるべき電波がカバー部材４１に吸収されたり、前述の電磁波がアンテナ１８から発信された電波に干渉したりして、アンテナ１８の出力低下、受信感度劣化を招くことを防止することができる。
【００２１】
また、ミラー２１をカバー部材４１に一体的に形成しておくことにより、携帯電話機１を構成する部品点数を少なくして、携帯電話機１を容易に製造できると共に、携帯電話機１の製造コストの削減を図ることができる。
さらに、撮像部１１、ミラー２１、フラッシュ部１３、発光部１５を１つに集約して配置することができるため、良好な外観意匠を有する携帯電話機１を提供できる。
【００２２】
なお、上記の実施の形態において、カバー部材４１は、樹脂部材の表面にめっきを施して金属皮膜を形成したものであるとしたが、これに限ることはなく、少なくとも導電性を有すると共に、ミラー２１を形成できるものであればよい。したがって、カバー部材４１は、例えば、金属材料から構成されるとしても良い。
また、撮像部１１の撮像素子は、ＣＭＯＳであるとしたが、これに限ることはなく、被写体からの光を受光して、その映像を電気信号に変換して表示部８や携帯電話機１の内部に設けられた記憶装置に出力するものであればよい。したがって、撮像素子は、例えば、ＣＣＤイメージセンサーであってもよい。
【００２３】
さらに、第２の筐体３を構成するリアケース３３は、リアケース本体３５とリアプレート３７とを結合させて構成されるとしたが、これに限ることはなく、少なくとも第２の筐体３の内部から外方に貫通し、カバー部材４１により閉塞される開口部を備えていればよい。したがって、リアケース３３は、これらリアケース本体３５及びリアプレート３７を一体的に形成したものであっても良い。
また、カバー部材４１と回路基板２５のグランドパターンとは、２つの接続端子４７，４８により電気的に接続されるとしたが、これに限ることはなく、３つ以上の接続端子により電気的に接続されるとしても良い。
【００２４】
さらに、２つの筐体２，３が互いに折り畳み自在に連結された携帯電話機１に限ることはなく、ＰＤＡやノートパソコン等のように、２つの筐体を連結手段により互いに開閉自在に連結した携行可能な携帯端末装置であればよい。したがって、例えば、携帯端末装置は、厚さ方向に重ね合わせ可能な２つの筐体を厚さ方向に沿う軸線を中心に相互に回動可能に連結して構成されたものであってもよい。
また、携帯端末装置は、２つの筐体を有することに限ることはなく、例えば、本実施形態の構造を有する１つの筐体から構成されていても構わない。
【００２５】
以上、本発明の実施形態について図面を参照して詳述したが、具体的な構成はこの実施形態に限られるものではなく、本発明の要旨を逸脱しない範囲の設計変更等も含まれる。
【００２６】
【発明の効果】
以上説明したように、本発明によれば、導電性材料からなるミラーを回路基板のグランドパターンに接続することにより、ミラーの帯電を抑制し、ミラーの帯電に基づいて発生するノイズによる各種電気部品、電子部品の誤作動や故障を防止できるため、信頼性の高い携帯端末装置を提供できる。
【図面の簡単な説明】
【図１】この発明の実施形態に係る携帯端末装置を構成する第１及び第２の筐体を相互に開いた状態を示す平面図である。
【図２】図１の携帯端末装置を構成する第１及び第２の筐体を相互に開いた状態を示す底面図である。
【図３】図１の携帯端末装置において、第２の筐体を構成するリアケース、及び第２の筐体内部に配される回路基板を示す分解斜視図である。
【図４】図１の携帯端末装置において、カバー部材が第２の筐体に固定された状態を示す要部拡大断面図である。
【符号の説明】
１  携帯電話機（携帯端末装置）
３  第２の筐体
１１  撮像部
１３  フラッシュ部
１９  他端面（表面）
２１  ミラー
２５  回路基板
３７ａ  開口部
４１  カバー部材
４１ａ  貫通孔
【図１】
2005026881.tif 000003
【図２】
2005026881.tif 000004
【図３】
2005026881.tif 000005
【図４】
2005026881.tif 000006